(57)【要約】【課題】一故人への想いを一つの位牌に込めて祀るという位牌本来の機能を損なうことなく、複数の故人をスペースの限られた仏壇や室内で祭祀する。【解決手段】少なくとも位牌本体部１Ａを備え、位牌本体部１Ａは、その表面及び裏面にそれぞれ表示面を形成する自発光表示パネル１０を備え、自発光表示パネル１０に表示させる一故人の故人情報を切り替え表示する表示切り替え手段２０を備える。【選択図】図１
2014054337.tif 000002
【特許請求の範囲】
【請求項１】
少なくとも位牌本体部を備え、
前記位牌本体部は、当該位牌本体部の表面及び裏面のそれぞれに表示面を形成する自発光表示パネルを備え、
前記自発光表示パネルに表示させる一故人の故人情報を切り替え表示する表示切り替え手段を備えることを特徴とする位牌。
【請求項２】
前記自発光表示パネルは、コントラスト比が１０００：１以上の有機ＥＬパネルであることを特徴とする請求項１記載の位牌。
【請求項３】
前記故人情報は、戒名及び俗名を含み、前記表示切り替え手段は、前記位牌本体部の一方の面側の表示面に一故人の戒名を表示し、前記位牌本体部の他方の面側の表示面に当該一故人の俗名を表示させることを特徴とする請求項１又は２記載の位牌。
【請求項４】
前記故人情報は、故人に関わる画像情報を含むことを特徴とする請求項１〜３のいずれかに記載の位牌。
【請求項５】
前記表示切り替え手段は、切り替え操作部と、複数故人の前記故人情報を記録する情報記録部と、前記切り替え操作部の操作入力によって前記情報記録部から一故人の前記故人情報を選択して前記自発光表示パネルに表示させる表示制御部とを備えることを特徴とする請求項１〜４のいずれかに記載の位牌。
【請求項６】
前記表示切り替え手段は、前記故人情報を記録した情報記録媒体から情報を読み取る情報読み取り部と、該情報読み取り部によって読み取られた一故人の前記故人情報を前記自発光表示パネルに表示させる表示制御部とを備えることを特徴とする請求項１〜４のいずれかに記載の位牌。
【請求項７】
前記表示切り替え手段は、外部送信手段から送信される信号又は情報を受信する受信手段と、該受信手段の受信によって一故人の前記故人情報を前記自発光表示パネルに表示させる表示制御部とを備えることを特徴とする請求項１〜４のいずれかに記載の位牌。
【発明の詳細な説明】
【技術分野】
【０００１】
本発明は、位牌に関するものである。
【背景技術】
【０００２】
位牌は、故人の祭祀のために戒名などを記した仏具である。位牌は本来故人の象徴とされるものであることから、一故人を一つの位牌で祀ることがなされている。これに対して、下記特許文献１に記載された従来技術では、歴代のご先祖様を一つの位牌で供養することができるように、複数の故人の戒名などを一つの位牌に並べて表記するものが提案されている。
【先行技術文献】
【特許文献】
【０００３】
【特許文献１】特開２００５−３１２８８０号公報
【発明の概要】
【発明が解決しようとする課題】
【０００４】
位牌は一般に仏壇の中に配置されるものであり、代々引き継がれている家や親族の多い家の仏壇には、祭祀する故人毎の位牌が多数並べられることになる。昨今の住宅事情を考慮すると仏壇の大きさは限定されざるを得ないので、仏壇内に多数の位牌を並べるスペースを確保できない問題が生じる。
【０００５】
これに対しては、複数の故人を一つの位牌で祭祀することが考えられるが、従来技術のように歴代の先祖の戒名などを一つの位牌に並べて表記するものでは、位牌自体の幅が大きくならざるを得ず、仏壇内の配置スペースを確保するための有効な解決策にはならない。また、一つの位牌に複数の戒名などを並べて表示するものでは、一故人への想いを一つの位牌に込めて祀るという位牌本来の機能が得られない問題が生じる。
【０００６】
本発明は、このような問題に対処するために提案されたものである。すなわち、一故人への想いを一つの位牌に込めて祀るという位牌本来の機能を損なうことなく、複数の故人をスペースの限られた仏壇や室内で祭祀することができる位牌を提供すること、等が本発明の目的である。
【課題を解決するための手段】
【０００７】
このような目的を達成するために、本発明による位牌は、以下の構成を少なくとも具備するものである。
位牌本体部と該位牌本体部を直立支持する台座部を備え、前記位牌本体部は、当該位牌本体部の表面及び裏面のそれぞれに表示面を形成する自発光表示パネルを備え、前記自発光表示パネルに表示させる一故人の故人情報を切り替え表示する表示切り替え手段を備えることを特徴とする位牌。
【図面の簡単な説明】
【０００８】
【図１】本発明の一実施形態に係る位牌を説明する説明図（外観図）である（図１（ａ）が正面図、図１（ｂ）が平面図、図１（ｃ）が側面図）。
【図２】本発明の実施形態に係る位牌における表示切り替え手段の具体的な構成例を示した説明図である。
【図３】本発明の実施形態に係る位牌における表示切り替え手段の具体的な構成例を示した説明図である。
【図４】本発明の実施形態に係る位牌における表示切り替え手段の具体的な構成例を示した説明図である。
【図５】本発明の実施形態に係る位牌における表示切り替え手段の具体的な構成例を示した説明図である。
【図６】本発明の実施形態に係る位牌が備える付加機能を示した説明図である。
【発明を実施するための形態】
【０００９】
以下、図面を参照して本発明の実施形態を説明する。図１は本発明の一実施形態に係る位牌を説明する説明図（外観図）である（図１（ａ）が正面図、図１（ｂ）が平面図、図１（ｃ）が側面図）。位牌１は、少なくとも位牌本体部１Ａ（位牌本体部１Ａと位牌本体部１Ａを直立支持する台座部１Ｂ）を備えている。位牌本体部１Ａは、図１（ａ）に示した表面（一方の面）に第１の表示面１０ａが形成され、図１（ｂ）に示した裏面（他方の面）に第２の表示面１０ｂが形成されるように、自発光表示パネル１０（１０Ａ，１０Ｂ）を備えている。図示の例では、自発光表示パネル１０が２つの自発光表示パネル１０Ａ，１０Ｂを個別に備える例を示しているが、表裏にそれぞれ表示面１０ａ，１０ｂを備える一つの自発光表示パネル１０によって構成することもできる。そして、位牌１は、自発光表示パネル１０に表示させる一故人の故人情報を他の故人の故人情報に切り替え表示する表示切り替え手段２０を備えている。図１に示した例では、表示切り替え手段２０は切り替え操作部２１を備えている。
【００１０】
このような構成を備えた位牌１によると、表示切り替え手段２０の機能によって、自発光表示パネル１０における第１の表示面１０ａ及び第２の表示面１０ｂに一故人の故人情報を他の故人の故人情報に切り替え表示させることができる。これによって、仏壇内には一つの位牌１を配置するだけで、例えば先祖代々の複数故人を切り替え表示して祭祀することができる。また、位牌１に一故人の故人情報を表示させると、その位牌１は一故人の象徴として祀ることができるので、一故人への想いを一つの位牌に込めて祀るという位牌本来の機能を損なうことがない。
【００１１】
自発光表示パネル１０は、バックライトを有する液晶表示パネルとは異なり、点灯箇所と非点灯箇所のコントラスト比が大きい。これによって、位牌本体部１Ａの表面及び裏面に故人情報を高いコントラスト比で鮮明に表示することができる。また、自発光表示パネル１０によると非点灯箇所を低明度の黒にすることができるので、木製の黒塗り位牌と同等の質感或いは高級感を得ることができる。自発光表示パネル１０としては、例えば、コントラスト比が１０００：１以上の有機ＥＬパネルを用いることができる。有機ＥＬパネルは薄型化が可能であるから、従来の木製位牌と同等の厚さを有する位牌本体部１Ａを形成することができる。
【００１２】
前述した故人情報は、戒名及び俗名を含むもので、表示切り替え手段２０は、位牌本体部１Ａの表面側の表示面１０ａに一故人の戒名を表示し、位牌本体部１Ａの裏面側の表示面１０ｂに当該一故人の俗名を表示させることができる。このように表示することで、既存の位牌と同等の表示形態をとることができる。故人情報としては、戒名，俗名，没年，故人のエピソードなどの文字情報に加えて、故人に関わる写真や動画などの画像情報を含めることができる。このような多彩な故人情報を表示することで、故人の象徴として祀る位牌の機能を更に高めることが可能になる。
【００１３】
図２〜図５は、本発明の実施形態に係る位牌における表示切り替え手段の具体的な構成例を示した説明図である（各図における共通の構成要素は同一符号を付して重複説明を一部省略する）。図２に示した例では、表示切り替え手段２０は、切り替え操作部２１と、複数故人の故人情報を記録する情報記録部２２と、切り替え操作部２１の操作入力によって情報記録部２２から一故人の故人情報を選択して自発光表示パネル１０に表示させる表示制御部２３とを備えている。このような構成例によると、切り替え操作部２１を操作することで、複数の故人情報の中から一故人の故人情報を選択して表示することができる。切り替え操作部２１は、切り替えボタンや切り替えダイヤルなどで構成することができる。また、表示切り替え手段２０は、表示制御部２３や自発光表示パネル１０を駆動する電源となるバッテリー（電池又は蓄電池など）２０Ａを備えている。
【００１４】
図３及び図４に示した例では、表示切り替え手段２０は、故人情報を記録した情報記録媒体から情報を読み取る情報読み取り部２４と、情報読み取り部２４によって読み取られた一故人の故人情報を自発光表示パネル１０に表示させる表示制御部２３Ａ，２３Ｂを備えている。図３に示した例では、情報記録媒体２０Ｄが複数故人の故人情報（故人情報１，故人情報２，故人情報３，…，故人情報ｎ）を記録している。各故人情報には、前述したように、戒名，俗名，没年，故人のエピソードなどの文字情報と故人に関わる写真や動画などの画像情報が含まれている。この例では、情報記録媒体２０Ｄを情報読み取り部２４にセットして切り替え操作部２１を操作することで、情報記録媒体２０Ｄに記録された複数の故人情報の中から一故人の故人情報を選択して自発光表示パネル１０に表示することができる。
【００１５】
図４に示す例では、複数の情報記録媒体２０Ｄ１，２０Ｄ２，２０Ｄ３，…，２０ｎがそれぞれ異なる故人情報（故人情報１，故人情報２，故人情報３，…，故人情報ｎ）を記録している。この例では、情報記録媒体２０Ｄ１，２０Ｄ２，２０Ｄ３，…，２０Ｄｎのいずれかを情報読み取り部２４にセットすることで、選択された情報記録媒体２０Ｄｎから一故人の故人情報を取り出して自発光表示パネル１０に表示することができる。
【００１６】
図５に示す例では、表示切り替え手段２０は、外部送信手段２０Ｓから送信される信号又は情報を受信する受信手段２５と、受信手段２５の受信によって一故人の故人情報を自発光表示パネル１０に表示させる表示制御部２３Ｃとを備えている。この例は、外部送信手段２０Ｓ自体が個別の故人情報を受信手段２５に送信し、表示制御部２３Ｃが送信された故人情報を自発光表示パネル１０に表示させるものであってもよいし、外部送信手段２０Ｓが個別の故人を識別する情報又は信号を受信手段２５に送信し、表示制御部２３Ｃが内部の情報記録部に記録された複数の故人情報の中から受信手段２５が受信した情報又は信号に基づく一故人を選択してその故人情報を自発光表示パネル１０に表示させるものであってもよい。
【００１７】
図６は、本発明の実施形態に係る位牌が備える付加機能を示した説明図である。本発明の実施形態に係る位牌１は、以下に示す機能を個別又は組み合わせで備えることができる。第１の機能は、人感センサ３０による自発光表示パネル１０の表示自動ＯＮ・ＯＦＦ機能である。人感センサ３０は位牌１の前面側に配備されており、人感センサ３０によって位牌１の前面に人Ｈが居ることが感知されると、表示制御部２３（２３Ａ，２３Ｂ，２３Ｃ）が自発光表示パネル１０の第１の表示面１０ａの表示をＯＮにし、人感センサ３０が人を感知しない場合には、表示制御部２３（２３Ａ，２３Ｂ，２３Ｃ）が自発光表示パネル１０の第１の表示面１０ａの表示をＯＦＦにする。この機能によると、位牌１の前方に人が居る場合だけ表示面１０ａをＯＮにするのでバッテリー２０Ａの消費を抑えることができる。また、人感センサ３０を複数設けても構わない。この場合、複数の人感センサ３０を異なる高さに設けておき、人の背丈の大小に合わせて検知させる。人感センサで検知した人の背丈に対応する故人情報を表示面１０ａに表示させても構わない。
【００１８】
第２の機能は、壁面感知センサ３１による自発光表示パネル１０の表示自動ＯＮ・ＯＦＦ機能である。壁面感知センサ３１は位牌１の背面側に配備されており、壁面感知センサ３１によって位牌１の背面に壁面があることが感知されると、表示制御部２３（２３Ａ，２３Ｂ，２３Ｃ）が自発光表示パネル１０の第２の表示面１０ｂの表示をＯＦＦにし、壁面感知センサ３１が壁面を感知しない場合には、表示制御部２３（２３Ａ，２３Ｂ，２３Ｃ）が自発光表示パネル１０の第２の表示面１０ｂの表示をＯＮにする。この機能によると、第２の表示面１０ｂが仏壇などの壁面に対面して誰も表示面１０ｂを見ることができない場合には表示面１０ｂの表示をＯＦＦにすることでバッテリー２０Ａの消費を抑えることができる。
【００１９】
壁面感知センサ３１を、振動感知センサに代えても構わない。この場合、位牌１を仏壇から移動させた場合には、振動感知センサが位牌１の振動を検知して、表示制御部２３（２３Ａ，２３Ｂ，２３Ｃ）が自発光表示パネル１０の第２の表示面１０ｂの表示をＯＮにする。このような機能によっても、第２の表示面１０ｂが仏壇などの壁面に対面して誰も表示面１０ｂを見ることができない場合には表示面１０ｂの表示をＯＦＦにすることでバッテリー２０Ａの消費を抑えることができる。
【００２０】
第３の機能は、照度センサ３２による自動輝度調整機能である。照度センサ３２は位牌本体部１Ａの上部に配備されており、照度センサ３２によって周辺照明Ｌの照度が高いことが検知されると、表示制御部２３（２３Ａ，２３Ｂ，２３Ｃ）が自発光表示パネル１０の表示輝度を上昇させる。この機能によると、法事などの照明点灯時に自発光表示パネル１０の表示輝度を上昇させて表示性能を向上させることができる。また、第４の機能として、表示制御部２３（２３Ａ，２３Ｂ，２３Ｃ）が内部に備えるタイマーの機能によって設定時間以上自発光表示パネル１０が連続表示している場合に表示を自動ＯＦＦにする機能を設けることもできる。
【００２１】
以上説明したように、本発明の実施形態に係る位牌１は、一つの位牌１に複数の故人情報を切り替え表示することで、一故人への想いを一つの位牌に込めて祀るという位牌本来の機能を損なうことなく、複数の故人をスペースの限られた仏壇や室内で祭祀することができる。また、表示手段として自発光表示パネル１０を用いているので、位牌本体部１Ａの表面及び裏面に故人情報を高いコントラスト比で鮮明に表示することができる。この自発光表示パネル１０によると非点灯箇所を低明度の黒にすることができるので、木製の黒塗り位牌と同等の質感或いは高級感を得ることができる。自発光表示パネル１０として有機ＥＬパネルを用いることで、表示部の薄型化が可能になり、従来の木製位牌と同等の厚さを有する位牌本体部１Ａを形成することができる。
【００２２】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２３】
１：位牌，１Ａ：位牌本体部，１Ｂ：台座部，
１０，１０Ａ，１０Ｂ：自発光表示パネル，１０ａ，１０ｂ：表示面，
２０：表示切り替え手段，２０Ａ：バッテリー，
２０Ｄ，２０Ｄ１，２０Ｄ２，２０Ｄ３，…，２０Ｄｎ：情報記録媒体，
２０Ｓ：外部送信手段，
２１：切り替え操作部，２２：情報記録部，
２３，２３Ａ，２３Ｂ，２３Ｃ：表示制御部，２４：情報読み取り部，
２５：受信部，
３０：人感センサ，３１：壁面感知センサ，３２：照度センサ
【図１】
2014054337.tif 000003
【図２】
2014054337.tif 000004
【図３】
2014054337.tif 000005
【図４】
2014054337.tif 000006
【図５】
2014054337.tif 000007
【図６】
2014054337.tif 000008